(57)【要約】【課題】映像信号と情報信号とを記録媒体に記録し再生することが可能な記録再生装置において、使用者に複雑な操作をさせることなく、記録媒体のみでの映像管理情報の編集を可能とすること。【解決手段】カートリッジケースに、記録媒体に記録される映像信号の管理情報，及び記録再生装置に対する制御情報を格納する映像管理情報格納手段を有し、記録再生装置は、映像管理情報格納手段からの管理情報，及び制御情報を入力情報とし、所定の動作を行う映像／情報信号制御手段を有することで、管理情報，及び制御情報として、映像の編集情報が格納される場合においては、記録再生装置へのディスクの挿入時、または使用者の指示により、映像／情報信号制御手段によりカートリッジケースの映像管理情報格納手段からの情報をもとに、記録媒体に記録されている映像信号、及び管理情報の編集を行う。【選択図】  図１
2004342140.tif 000002
【特許請求の範囲】
【請求項１】
映像信号と情報信号とを記録媒体に記録し再生することが可能で、前記記録媒体はカートリッジケースで覆われてなる記録再生装置において、
前記カートリッジケースは、前記記録媒体に記録される映像信号の管理情報，及び前記記録再生装置に対する制御情報を格納する映像管理情報格納手段を有し、
前記記録再生装置は、前記映像管理情報格納手段からの管理情報，及び制御情報を入力情報とし、所定の動作を行う映像／情報信号制御手段を有することを特徴とする記録再生装置。
【請求項２】
請求項１記載の記録再生装置において、前記映像／情報信号制御手段は、前記映像管理情報格納手段からの管理情報，及び制御情報を入力情報とし、前記記録媒体に記録された映像信号，及び情報信号の編集を行うことで、前記カートリッジケースの映像管理情報格納手段に格納された管理情報、及び制御情報との同期処理を行うことを特徴とする記録再生装置。
【請求項３】
請求項１または請求項２記載の記録再生装置において、前記カートリッジケースで覆われた記録媒体が、前記記録再生装置に挿入された時、または使用者からの指示により、前記カートリッジケースの映像管理情報格納手段で記憶される管理情報，及び制御情報を読込む読込み手段を有し、
前記映像／情報信号制御手段は、前記読込み手段で読込まれた管理情報，及び制御情報を入力情報とし、所定の動作を行うことを特徴とする記録再生装置。
【請求項４】
請求項１または請求項２記載の記録再生装置において、前記記録媒体に記録される映像信号の管理情報の更新時、前記記録再生装置からの挿出時、または使用者からの指示により、前記カートリッジケースの映像管理情報格納手段で記憶される管理情報、または制御情報の更新を行う書込み手段を有することを特徴とする記録再生装置。
【請求項５】
請求項１または請求項２記載の記録再生装置において、前記カートリッジケースの映像管理情報格納手段で記憶される管理情報で管理される情報信号を表示する表示手段を前記カートリッジケースに有することを特徴とする記録再生装置。
【請求項６】
請求項５記載の記録再生装置において、前記カートリッジケースの映像管理情報格納手段で記憶される管理情報を変換し、使用者に映像信号の内容一覧を表示させる表示情報を生成する情報信号変換手段を前記カートリッジケースに有することを特徴とする記録再生装置。
【請求項７】
請求項５記載の記録再生装置において、前記映像管理情報格納手段は、前記記録媒体に記録される映像信号の管理情報としての使用者に対する表示情報を格納するものであって、
前記記録再生装置は、前記記録媒体に記録される映像信号の管理情報を変換し、使用者に映像信号の内容一覧を表示させる表示情報を生成する情報信号変換手段と、
前記情報信号変換手段で生成された表示情報を、映像管理情報格納手段に書込みを行う書込み手段とを有することを特徴とする記録再生装置。
【請求項８】
請求項１または請求項２記載の記録再生装置において、前記カートリッジケースの映像管理情報格納手段で記憶される制御情報を入力する入力手段をカートリッジケースに有することを特徴とする記録再生装置。
【請求項９】
請求項１記載の記録再生装置において、映像管理情報格納手段で格納される管理情報、または制御情報は、最近に再生された映像の再生位置情報であって、
前記記録再生装置に対する使用者からの再生停止要求時の再生位置情報を、映像管理情報格納手段に対し書込みを行う書込み手段と、
映像管理情報格納手段に記録されている再生位置情報の読込みを行う読込み手段と、
前記記録再生装置に対する使用者からの再生要求時に、前記読込み手段から読込まれた再生位置から再生を行うよう指示する映像／情報信号制御手段とを有することを特徴とする記録再生装置。
【請求項１０】
請求項５または請求項８記載の記録再生装置において、映像管理情報格納手段で格納される管理情報、または制御情報は、前記記録媒体に記録される映像信号の管理情報，及び前記記録再生装置に対する制御情報と映像の再生位置情報であって、
前記表示手段は、映像信号の内容一覧を表示させるものであって、
前記入力手段は、前記表示手段により表示された内容一覧から、所望の番組を選択させるものであって、
前記記録再生装置は、前記映像管理情報格納手段に記録されている再生位置情報の読込みを行う読込み手段と、
前記記録再生装置に対する使用者からの再生要求時に、前記入力手段により入力された映像管理情報格納手段で記憶される再生指定番組情報として、前記読込み手段から読込まれた再生位置から再生を行うよう指示する映像／情報信号制御手段とを有することを特徴とする記録再生装置。
【請求項１１】
請求項５記載の記録再生装置において、映像管理情報格納手段で格納される管理情報、または制御情報は、１つの番組、もしくは複数の番組の記録後から、使用者が各々の番組に対し再生要求を行ったかの情報をもとに、視聴したか否かの情報であって、
前記表示手段は、前記映像管理情報格納手段に記録されている視聴済み番組情報を表示するものであって、
前記記録再生装置は、各番組に対しての視聴したか否かの視聴済み番組情報を、前記映像管理情報格納手段に対し書込みを行う書込み手段を有することを特徴とする記録再生装置。
【請求項１２】
請求項８記載の記録再生装置において、前記映像管理情報格納手段で格納される管理情報、または制御情報は、再生許可情報であって、
前記入力手段は、前記記録媒体に記録された映像信号の再生許可をするか否かの情報としての暗証番号を入力するものであって、
前記記録再生装置は、前記映像管理情報格納手段に記録されている再生許可情報の読込みを行う読込み手段と、
前記記録再生装置のメモリ領域、または記録媒体の管理情報領域において、暗証番号を格納する領域とを有し、前記読込み手段から読込まれた前記映像管理情報格納手段で記録される再生許可情報としての暗証番号と、前記記録再生装置のメモリ領域、または記録媒体の管理情報からの暗証番号を入力情報とし、両暗証番号が一致すれば再生を可能とし、不一致であれば再生させないよう指示する映像／情報信号制御手段とを有することを特徴とする記録再生装置。
【請求項１３】
請求項１記載の記録再生装置において、前記映像管理情報格納手段で格納される管理情報、または制御情報は、予約録画情報であって、
前記記録再生装置は、前記映像管理情報格納手段に記録されている予約録画情報の読込みを行う読込み手段と、
前記読込み手段から読込まれた前記映像管理情報格納手段で記録される予約録画情報を入力信号とし、前記記録再生装置に予約録画を組むよう指示する映像／情報信号制御手段とを有することを特徴とする記録再生装置。
【請求項１４】
請求項１記載の記録再生装置において、映像管理情報格納手段で格納される管理情報、または制御情報は、ＵＲＬ（Ｕｎｉｆｏｒｍ  Ｒｅｓｏｕｒｃｅ  Ｌｏｃａｔｏｒ）情報であって、
前記記録再生装置は、前記映像管理情報格納手段に記録されているＵＲＬ情報の読込みを行う読込み手段と、
インターネットにアクセスし情報資源を取得するネット情報資源取得手段と、
前記読込み手段から読込まれた前記映像管理情報格納手段で記録されるＵＲＬ情報と制御情報とを入力情報とし、インターネット上に存在する情報資源を参照し、所定の動作を行うよう指示する映像／情報信号制御手段とを有することを特徴とする記録再生装置。
【請求項１５】
映像信号と情報信号とを記録媒体に記録し再生することが可能な記録再生装置において、
前記記録媒体の管理情報の一つとして、ＵＲＬ（Ｕｎｉｆｏｒｍ  Ｒｅｓｏｕｒｃｅ  Ｌｏｃａｔｏｒ）情報と制御情報を格納するものであって、
ＵＲＬ情報の読込みを行う読込み手段と、
インターネットにアクセスし情報資源を取得するネット情報資源取得手段と、
前記読込み手段から読込まれた前記記録媒体の管理情報で記録されるＵＲＬ情報と制御情報とを入力情報とし、インターネット上に存在する情報資源を参照し、所定の動作を行うよう指示する映像／情報信号制御手段とを有することを特徴とする記録再生装置。
【請求項１６】
請求項１４または請求項１５記載の記録再生装置において、前記ネット情報資源取得手段により取得された情報資源である予約録画情報を入力情報とし、
前記記録再生装置に予約録画を組むよう指示する映像／情報信号制御手段を有することを特徴とする記録再生装置。
【請求項１７】
請求項１４または請求項１５記載の記録再生装置において、前記ネット情報資源取得手段により取得された情報資源であるコンテンツデータを、前記記録媒体に記録、または再生するよう指示する映像／情報信号制御手段を有することを特徴とする記録再生装置。
【請求項１８】
請求項１ないし請求項１７記載の記録再生装置において、前記映像管理情報格納手段は、前記記録媒体に記録される映像信号または管理情報の更新日時を格納し、
前記映像／情報信号制御手段は、前記映像管理情報格納手段で格納される映像信号または管理情報の更新日時と、前記記録媒体に記録される映像信号または管理情報の更新日時とを、比較することで、前記記録再生装置とは別の記録再生装置で編集されたか否かを判断することを特徴とする記録再生装置。
【請求項１９】
請求項１ないし請求項１８のうちいずれか一つが記載の記録再生装置に用いられる制御方式を用いて制御を行うことを特徴とする記録再生装置の制御方式。
【請求項２０】
請求項１ないし請求項１８のうちいずれか一つが記載の記録再生装置に用いられる制御方式のステップが記録されていることを特徴とするデータ記録媒体。
【発明の詳細な説明】
【０００１】
【発明の属する技術分野】
本発明は、映像信号と情報信号とを記録媒体に記録し再生することが可能な記録再生装置、及びこれらの装置に利用する制御方式、及びデータ記録媒体に関する。
【０００２】
【従来の技術】
従来、記録再生装置で映像や音声を記録した記録媒体の管理情報（以下、映像管理情報と記す）は、録画開始，及び終了時にどのような番組を録画したのかの映像管理情報を記録再生装置のメモリに書込むことで、記録媒体の映像や音声と映像管理情報とを同期させている。コンテンツ内容の表示時には、メモリ上からＴＶ画面に記録情報を一覧表示させることにより、記録再生装置で再生することなく記録内容を知ることを可能としている（例えば、特許文献１参照）。
また、記録媒体自体に、映像管理情報を格納するための領域を持つものもある（例えば、非特許文献１参照）。
【０００３】
【特許文献１】
特開平６−３０９８４８（第４−６頁、第１図）
【非特許文献１】
ＤＶＤ  Ｖｉｄｅｏ  Ｒｅｃｏｒｄｉｎｇ  Ｂｏｏｋ
（ＤＶＤ  Ｓｐｅｃｉｆｉｃａｔｉｏｎｓ  ｆｏｒ  Ｒｅｗｒｉｔａｂｌｅ／Ｒｅ−ｒｅｃｏｒｄａｂｌｅ  Ｄｉｓｃｓ  Ｐａｒｔ３  ＶＩＤＥＯ  ＲＥＣＯＲＤＩＮＧ  Ｖｅｒｓｉｏｎ  １．０  Ｓｅｐｔｅｍｂｅｒ  １９９９−ＤＶＤ  Ｆｏｒｕｍ−）
【０００４】
【発明が解決しようとする課題】
従来方式においては、記録再生装置を用いた番組の録画時や編集時に映像管理情報を書き換えているため、記録媒体が挿入された記録再生装置でのみ映像管理情報の編集が可能であった。
本発明は、使用者が記録媒体が挿入された記録再生装置を用いることなく、映像管理情報の編集を可能とすることを目的としている。
【０００５】
【課題を解決するための手段】
この課題を解決するために本発明は、映像信号と情報信号とを記録媒体に記録し再生することが可能で、前記記録媒体はカートリッジケースで覆われてなる記録再生装置において、前記カートリッジケースは、前記記録媒体に記録される映像信号の管理情報，及び前記記録再生装置に対する制御情報を格納する映像管理情報格納手段を有し、前記記録再生装置は、前記映像管理情報格納手段からの管理情報，及び制御情報を入力情報とし、所定の動作を行う映像／情報信号制御手段を有するものである。
【０００６】
【発明の実施の形態】
以下、本発明の実施の形態について、図１から図１４を用いて説明する。
（実施の形態１）
図２は、映像信号と情報信号とを記録媒体に記録し再生することが可能な記録再生装置２００の概念図を示し、図２において、２０１はＣＰＵ、２０２はＲＯＭ、２０３はＲＡＭ、リモコンからの入力を受信するユーザ入力手段２０４、アンテナからの放送信号をチューナー２０５で受信し、符号化処理を行うエンコーダ２０６、記録媒体（ＨＤＤ２１０、書き換え可能な光ディスク２１１、メモリカード２１２）からの符号化信号を復号化するデコーダ２０８からの信号とＯＳＤ表示手段２０９からの信号を合成するオーバーレイ２０７から構成されている。
【０００７】
図３は、映像の記録や再生にのみ関連する記録再生装置２００における一般的な処理のブロック構成図を示す。以下、図面を参照しながら説明する。
例えば、記録媒体であるＤＶＤ−ＲＡＭメディアに、番組１，番組２が記録されている状態で、番組１を再生する場合について説明する。
ユーザ入力手段３０６からの再生要求に従い、システム制御手段３０５は、映像／管理情報書込み／読込み手段３０３に指示し、ＤＶＤ−ＲＡＭ３０８から管理情報を読み込ませ、番組１の映像信号の格納アドレスを取得する。その格納アドレスをもとに、番組１の映像信号を読出し、デコード手段３０２に送り出す。
【０００８】
次に、記録媒体であるＤＶＤ−ＲＡＭメディアに、番組を記録する場合について説明する。
ユーザ入力手段３０６からの録画要求に従い、システム制御手段３０５は、映像／管理情報書込み／読込み手段３０３に指示し、エンコード手段３０１からの符号化信号をＤＶＤ−ＲＡＭ３０８の空き領域へ書き込む。そして、情報信号発生手段３０４は、格納アドレス，及び番組番号を生成し、映像／管理情報書込み／読込み手段３０３に指示し、新しく録画された番組３の管理情報としてＤＶＤ−ＲＡＭ３０８へ書き込む。
メディア挿入出検出手段３０９は、記録再生装置２００に、ＤＶＤ−ＲＡＭメディアが挿入、あるいは、挿出されたかを検出するものである。
なお、ＨＤＤ３０７からの再生，及びＨＤＤ３０７への録画においても、同様の処理を行う。
【０００９】
図１は、ＤＶＤ−ＲＡＭ３０８のカートリッジケースに取り付けられたメモリに格納された管理情報とＤＶＤ−ＲＡＭ３０８に記録された映像、及び管理情報とを同期させることが可能な記録再生装置のブロック構成図を示す。図において、図３と同一符号は同一または相当部分を示している。以下、図面を参照しながら説明する。
図において、１０１はＤＶＤ−ＲＡＭ３０８のカートリッジケースに取り付けられた管理情報を格納する記憶手段、１０２は記憶手段１０１から管理情報を読み出す外部記憶読込み手段、１０３はシステム制御手段３０５からのＤＶＤ−ＲＡＭ３０８に格納されている管理情報と、外部記憶読込み手段１０２からの管理情報から、差分を解釈しシステム制御３０５に対し、ＤＶＤ−ＲＡＭ３０８に記録されている映像、及び管理情報を、記憶手段１０１の管理情報と整合性を取るよう指示する映像／情報信号制御手段である。
【００１０】
図４のフローチャートを用いて、本実施例の動作を説明する。図４は、記録再生装置において、本発明に係わるメディアの挿入から通常の処理に移行するまでの動作を示すフローチャートである。
ステップＳ４０１において、ＤＶＤ−ＲＡＭ３０８と記憶手段１０１が入ったカートリッジが記録再生装置２００に挿入されると、ステップＳ４０２においてＤＶＤ−ＲＡＭ３０８に格納されている管理情報を読込み、次にステップＳ４０３において記憶手段１０１に格納されている管理情報を読込む。ステップＳ４０４においては、ステップＳ４０２とステップＳ４０３にて読込まれた管理情報に差分があるか否かを判定し、差分がなければ、一般の記録再生装置２００の通常処理であるステップＳ４０７へ処理を移す。差分があれば、ステップＳ４０５においてＤＶＤ−ＲＡＭ３０８に格納される映像データが、ステップＳ４０３にて読込まれた管理情報で管理される映像データとなるように編集を行い、ステップＳ４０６にてＤＶＤ−ＲＡＭ３０８に格納されている管理情報を、記憶手段１０１に格納されている管理情報に更新する。そして、ステップＳ４０７へ処理を移す。
【００１１】
次に、図１を用いて動作を説明する。
例えば、ＤＶＤ−ＲＡＭ３０８に、２つの番組（ＤＶＤ番組１，ＤＶＤ番組２）が記録されている状態で、記憶手段１０１に記憶されている管理情報が１つの番組（ＤＶＤ番組１）の場合について説明する。
ＤＶＤ−ＲＡＭ３０８と記憶手段１０１が入ったカートリッジが記録再生装置２００に挿入されると、映像／情報信号制御手段１０３は、メディア挿入出検出手段３０９よりメディアの挿入があったことが通知され、外部記憶読込み手段１０２を介して記憶手段１０１に格納されている管理情報と、システム制御手段３０５を介してＤＶＤ−ＲＡＭ３０８に格納されている管理情報とを読込み（システム制御手段３０５は映像管理情報書込み／読込み手段３０３に指示し、管理情報を読込む）、両管理情報の差分を解釈し、ＤＶＤ−ＲＡＭ３０８に記録されているＤＶＤ番組２を削除（同期を取る）する必要があると認識し、システム制御手段３０５に対しＤＶＤ番組２を削除するよう指示する。システム制御手段３０５は映像管理情報書込み／読込み手段３０３に指示し、ＤＶＤ−ＲＡＭ３０８に記録されているＤＶＤ番組２を削除し、ＤＶＤ−ＲＡＭ３０８に格納されている管理情報を１つの番組（ＤＶＤ番組１）と書き換え、情報を更新する。
【００１２】
次に、ＤＶＤ−ＲＡＭ３０８に、２つの番組（ＤＶＤ番組１，ＤＶＤ番組２）が記録されている状態、ＨＤＤ３０７に、２つの番組（ＨＤＤ番組１，ＨＤＤ番組２）が記録されている状態で、記憶手段１０１に記憶されている管理情報が２つの番組（ＤＶＤ番組１，ＨＤＤ番組２）の場合について説明する。
ＤＶＤ−ＲＡＭ３０８と記憶手段１０１が入ったカートリッジが記録再生装置２００に挿入されると、上記と同様に、記憶手段１０１に格納されている管理情報と、ＤＶＤ−ＲＡＭ３０８に格納されている管理情報とを読込み、両管理情報の差分を解釈し、ＤＶＤ−ＲＡＭ３０８に記録されているＤＶＤ番組２を削除することと、ＨＤＤ３０７からＨＤＤ番組２をＤＶＤ−ＲＡＭ３０８にコピー（同期を取る）する必要があると認識し、システム制御手段３０５に対しＤＶＤ番組２の削除、及びＨＤＤ番組２のコピーをするよう指示する。システム制御手段３０５は映像管理情報書込み／読込み手段３０３に指示し、ＤＶＤ−ＲＡＭ３０８に記録されているＤＶＤ番組２を削除し、また、ＨＤＤ３０７からＨＤＤ番組２の記録データをＤＶＤ−ＲＡＭ３０８にコピーし、ＤＶＤ−ＲＡＭ３０８に格納されている管理情報を２つの番組（ＤＶＤ番組１，ＨＤＤ番組２）と書き換え、情報を更新する。
【００１３】
以上のように、管理情報を格納する記憶手段１０１、記憶手段１０１から管理情報を読み出す外部記憶読込み手段１０２、ＤＶＤ−ＲＡＭ３０８に格納されている管理情報と、外部記憶読込み手段１０２からの管理情報から、差分を解釈しシステム制御３０５に対し、ＤＶＤ−ＲＡＭ３０８に記録されている映像、及び管理情報を、記憶手段１０１の管理情報と整合性を取るよう指示する映像／情報信号制御手段１０３とを備えることにより、使用者が記録媒体が挿入された記録再生装置２００の複雑な操作をすることなく、記録媒体に格納された映像の編集が可能となる。
【００１４】
なお、同期を取るタイミングをメディアの挿入時としたが、ユーザ入力手段３０６からの指示としても同様に実施可能である。
なお、記憶手段１０１は、ＤＶＤ−ＲＡＭ３０８の管理情報を記憶する手段として説明したが、ＨＤＤ３０７の管理情報を記憶、または両方の管理情報を記憶する手段としても同様に実施可能である。
なお、以上の説明では、記録媒体としてＨＤＤ、及びＤＶＤ−ＲＡＭのハイブリッド構成の例で説明したが、いずれか一つの場合についても同様に実施可能である。
なお、取り出し可能なメディアとしてＤＶＤ−ＲＡＭの例で説明したが、ＤＶＤ−Ｒやメモリカードなどの他メディアの場合についても同様に実施可能である。
【００１５】
（実施の形態２）
図５は、記録媒体の映像信号の管理情報と制御情報を格納することができ、管理情報の表示、あるいは管理情報または制御情報の入力が可能なカートリッジケースに覆われた記録媒体５００の概念図を示し、図５において、５０１はＣＰＵ、５０２はＲＡＭ、５０３はＲＯＭ、タッチペンからの入力を受信するユーザ入力手段５０４、表示出力を行う情報表示手段５０５、記録媒体５０６から構成されている。
【００１６】
図６は、図１で示す記録再生装置に、新たにＤＶＤ−ＲＡＭ３０８のカートリッジケースに取り付けられた入力手段６０１、及び表示手段６０２と情報信号変換手段６０３、外部記憶書込み／読込み手段６０４を備えた記録再生装置のブロック構成図である。図において、図１と同一符号は同一または相当部分を示している。以下、図面を参照しながら説明する。
【００１７】
例えば、ＤＶＤ−ＲＡＭ３０８に、全く何も番組が記録されていない状態で、記録を行う場合の動作について説明する。
ユーザ入力手段３０６からの録画要求に従い、システム制御手段３０５は、映像／管理情報書込み／読込み手段３０３に指示し、エンコード手段３０１からの符号化信号をＤＶＤ−ＲＡＭ３０８の空き領域へ書き込む。そして、情報信号発生手段３０４は、格納アドレス、番組番号、及び日付を生成し、映像／管理情報書込み／読込み手段３０３に指示し、ＤＶＤ番組１の管理情報としてＤＶＤ−ＲＡＭ３０８へ書き込む。更に、映像／管理情報書込み／読込み手段３０３は、情報信号変換手段６０３に対し、ＤＶＤ番組１の管理情報を渡す。情報信号変換手段６０３は、外部記憶書込み／読込み手段６０４に対し、ＤＶＤ番組１の管理情報と、例えば、図７に示すような使用者にとって分かりやすい形式である文字列に変換したＤＶＤ番組１の管理情報とを渡し、記憶手段１０１に書き込む。表示手段６０２は、図７に示すような所定のフォーマットに従い、変換された管理情報を表示する。
なお、図７におけるタイトルは、ユーザ入力手段３０６からの指示によりＤＶＤ−ＲＡＭ３０８の管理情報、及び記憶手段１０１の管理情報に書き込まれたタイトルである。
【００１８】
次に、図８に示すように、ＤＶＤ−ＲＡＭ３０８に、既に２つの番組（Ｎｏ．１，Ｎｏ．２）が記録されている状態で、番組（Ｎｏ．２）の削除を行う場合の動作について説明する。なお、ＤＶＤ−ＲＡＭ３０８に記録されている管理情報と記憶手段１０１に記録されている管理情報は、同期が取られていることとする。また、図９は、ＤＶＤ−ＲＡＭ３０８が入ったカートリッジケースの模式図を示している。
使用者がタッチパネルなどの入力手段６０１を用いて、表示手段６０２で表示されている図８に示す番組（Ｎｏ．２）の操作の項目を□から■へ変更し、その情報を記憶手段１０１に記憶させ、記録再生装置へＤＶＤ−ＲＡＭ３０８が入ったカートリッジケースを挿入する。
メディア挿入出検出手段３０９よりメディアの挿入があったことを通知された映像／情報信号制御手段１０３は、外部記憶書込み／読込み手段６０４を介して記憶手段１０１に格納されている管理情報と、システム制御手段３０５を介してＤＶＤ−ＲＡＭ３０８に格納されている管理情報とを読込み、両管理情報の差分を解釈し、この場合、相違がないことを認識する。続いて、記憶手段１０１に記憶されている操作の項目を読込み、番組（Ｎｏ．２）を削除する必要があると認識し、システム制御手段３０５に対し番組（Ｎｏ．２）を削除するよう指示する。システム制御手段３０５は映像管理情報書込み／読込み手段３０３に指示し、ＤＶＤ−ＲＡＭ３０８に記録されている番組（Ｎｏ．２）を削除し、ＤＶＤ−ＲＡＭ３０８に格納されている管理情報の更新を行う。続いて、外部記憶書込み／読込み手段６０４に指示し、記憶手段１０１に格納されている管理情報から番組（Ｎｏ．２）を削除し情報の更新を行い、両管理情報の差分をなくし同期を取る。
【００１９】
以上のように、図３で示す記録再生装置に、新たにＤＶＤ−ＲＡＭ３０８のカートリッジケースに、記憶手段１０１に格納された管理情報を書き換えることが可能な入力手段６０１、及び記憶手段１０１に格納された管理情報を表示させることが可能な表示手段６０２を備え、ＤＶＤ−ＲＡＭ３０８の管理情報を使用者にとって分かりやすい形式である文字列に変換することが可能な情報信号変換手段６０３、及び記憶手段１０１の管理情報または制御情報を書込み／読込み可能な外部記憶書込み／読込み手段６０４を備えることにより、使用者が記録媒体単体において、記録媒体に何（番組）が記録されているのかを知ることができ、また、記録媒体が挿入された記録再生装置の複雑な操作をすることなく、任意に記録媒体の編集が可能となる。
【００２０】
なお、管理情報として、格納アドレス、番組番号、及び録画日の日付としたが、録画総時間などの使用者に必要な情報も管理情報として管理しても同様に実施可能である。
なお、情報信号変換手段６０３は、カートリッジケースに取り付けられても同様に実施可能である。
なお、同期を取るタイミングをメディアの挿入時としたが、ユーザ入力手段３０６からの指示としても同様に実施可能である。
なお、記憶手段１０１は、ＤＶＤ−ＲＡＭ３０８の管理情報を記憶する手段として説明したが、ＨＤＤ３０７の管理情報を記憶、または両方の管理情報を記憶する手段としても同様に実施可能である。
なお、以上の説明では、記録媒体としてＨＤＤ、及びＤＶＤ−ＲＡＭのハイブリッド構成の例で説明したが、いずれか一つの場合についても同様に実施可能である。
なお、取り出し可能なメディアとしてＤＶＤ−ＲＡＭの例で説明したが、ＤＶＤ−Ｒやメモリカードなどの他メディアの場合についても同様に実施可能である。
【００２１】
（実施の形態３）
続いて、記憶手段１０１に、番組の再生位置、視聴済み番組が格納される場合の動作について説明する。
初めに、現在の再生位置を格納する場合について説明する。
ユーザ入力手段３０６からの再生要求に従い、外部記憶書込み／読込み手段６０４を介して記憶手段１０１に格納されている管理情報を読込み、再生途中の番組の映像信号の格納アドレスが存在しているか否かをチェックし、存在しなければ、システム制御手段３０５は、映像／管理情報書込み／読込み手段３０３に指示し、ＤＶＤ−ＲＡＭ３０８から管理情報を読み込ませ、所定番組の映像信号の格納アドレスを取得する。その格納アドレスをもとに、所定番組の映像信号を読出し、デコード手段３０２に送り出し、再生を行う。ユーザ入力手段３０６からの再生停止要求に従い、システム制御手段３０５は、デコード手段３０２への映像信号の書込みを停止し、外部記憶書込み／読込み手段６０４を介して記憶手段１０１に格納される管理情報として、再生途中（再生停止要求時）の番組の映像信号の格納アドレスを書き込む。
【００２２】
再生途中の番組の映像信号の格納アドレスが存在している場合には、システム制御手段３０５は、映像／管理情報書込み／読込み手段３０３に指示し、再生途中の番組の映像信号の格納アドレスから、所定番組の映像信号を読出し、デコード手段３０２に送り出し、再生を行う。
次に、使用者がカートリッジケースの入力手段６０１を用いて、記録再生装置を用いての再生時に、指定番組から再生させる場合について説明する。
使用者がタッチパネルなどの入力手段６０１を用いて、表示手段６０２で表示されている図１０に示す番組（Ｎｏ．２）の操作の項目を□から■へ変更し、その情報を記憶手段１０１に記憶させる。ユーザ入力手段３０６からの再生要求、または、ディスクの挿入時に、外部記憶書込み／読込み手段６０４を介して記憶手段１０１に格納されている管理情報を読込み、再生指定番組情報が存在しているか否かをチェックし、図１０に示すように番組（Ｎｏ．２）からの再生指示があることを認識し、システム制御手段３０５は、映像／管理情報書込み／読込み手段３０３に指示し、ＤＶＤ−ＲＡＭ３０８から管理情報を読み込ませ、番組（Ｎｏ．２）の映像信号の格納アドレスを取得する。その格納アドレスをもとに、映像信号を読出し、デコード手段３０２に送り出し、再生を行う。
【００２３】
次に、記憶手段１０１に視聴済み番組情報を格納する場合について説明する。
ユーザ入力手段３０６からの再生要求に従い、外部記憶書込み／読込み手段６０４を介して記憶手段１０１に格納されている管理情報を読込み、再生要求番組の再生済み映像信号のアドレスが存在しているか否かをチェックし、存在していれば、再生済み映像信号のアドレスを取得し、次に再生すべきアドレスを取得するために、システム制御手段３０５は、映像／管理情報書込み／読込み手段３０３に指示し、ＤＶＤ−ＲＡＭ３０８から管理情報を読み込ませ、映像信号の格納アドレスを取得する。再生要求番組の再生済み映像信号のアドレスが存在していなければ、ユーザが指示した再生要求番組の映像信号の先頭格納アドレスを取得する。いずれかの格納アドレスをもとに、番組の映像信号を読出し、デコード手段３０２に送り出し再生を行い、ユーザ入力手段３０６からの再生停止要求に従い再生を停止する。例えば、取得済みの再生済み映像信号のアドレスと今回の再生要求により再生した映像信号のアドレス（つまり、番組のどこからどこまでを視聴）とから、所定番組の全て、又は何パーセントを視聴したかを判断し、閾値以上の視聴がなされていれば視聴済みと判断し、外部記憶書込み／読込み手段６０４を介して記憶手段１０１に格納される管理情報として、視聴済み番組として記憶させ、図１１に示すように、使用者に分かるような表示を行う。
閾値以下の視聴の場合であれば、新たに取得済みの再生済み映像信号のアドレスに加え、今回の再生要求により再生した映像信号のアドレスを格納する。
なお、以上の説明では、視聴済み番組としての判断を閾値を用いて、真か偽で判断し図１１に示すような表示を行ったが、単に何パーセントを視聴したかを、パーセント表示してもよい。
【００２４】
以上のように、記憶手段１０１に、番組の再生位置情報、視聴済み番組情報を格納することが可能な領域を備えることにより、使用者が視聴途中の番組の再生位置を探すことなく、容易に番組の続きから視聴することが可能となり、また、ディスクに記録されている番組を視聴したか否かを知ることができる。
【００２５】
（実施の形態４）
図１２は、図６で示す記録再生装置に、新たにネット情報資源取得手段１１０１を備えた記録再生装置のブロック構成図である。図において、図６と同一符号は同一または相当部分を示している。以下、図面を参照しながら説明する。
記憶手段１０１に、ＵＲＬ（Ｕｎｉｆｏｒｍ  Ｒｅｓｏｕｒｃｅ  Ｌｏｃａｔｏｒ）情報が格納される場合の動作について説明する。
ＤＶＤ−ＲＡＭ３０８と記憶手段１０１が入ったカートリッジが記録再生装置に挿入されると、映像／情報信号制御手段１０３は、メディア挿入出検出手段３０９よりメディアの挿入があったことが通知され、外部記憶書込み／読込み手段６０４を介して記憶手段１０１に格納される管理情報を読込み、ＵＲＬ情報と制御情報を取得する。例えば、制御情報がＵＲＬからの録画を指示する場合においては、システム制御手段３０５は、ネット情報資源取得手段１１０１に指示し、ＵＲＬを用いてネットワーク先の映像信号を取得し、映像／管理情報書込み／読込み手段３０３を介して、ＤＶＤ−ＲＡＭ３０８の空き領域へ書き込む。そして、情報信号発生手段３０４は、格納アドレス、番組番号、及び日付を生成し、映像／管理情報書込み／読込み手段３０３に指示し、取得した映像信号の管理情報としてＤＶＤ−ＲＡＭ３０８へ書き込む。
制御情報がＵＲＬからの再生を指示する場合においては、システム制御手段３０５は、ネット情報資源取得手段１１０１に指示し、ＵＲＬを用いてネットワーク先の映像信号を取得し、デコード手段３０２へ映像信号を送出する。
【００２６】
次に、制御情報がＵＲＬのデータベースから予約録画を指示する場合においては、システム制御手段３０５は、ネット情報資源取得手段１１０１に指示し、ＵＲＬを用いてネットワーク先のデータベースにアクセスし、予約録画情報を取得し、通常の予約録画と同様に記録再生装置に対して予約録画を組む。
また、制御情報が使用者がタッチパネルなどの入力手段６０１を用いて、表示手段６０２で表示されている図１３に示すように入力した記憶手段１０１に格納されている予約録画情報から予約録画を指示する場合においては、システム制御手段３０５は外部記憶書込み／読込み手段６０４を介して記憶手段１０１に格納されている管理情報としての予約録画情報を取得し、通常の予約録画と同様に記録再生装置に対して予約録画を組む。
【００２７】
以上のように、図６で示す記録再生装置に、新たにネット情報資源取得手段１１０１を備え、記憶手段１０１に、ＵＲＬ情報を格納することが可能な領域を備えることにより、コンテンツのアドレスや記録再生装置の操作を意識することなく、記録再生装置を用いてネットワーク先のコンテンツデータにアクセスし、録画、再生、閲覧、及び予約録画などの機器への設定を可能とする。
なお、記憶手段１０１に、ＵＲＬ情報が格納される場合の動作について説明したが、ＤＶＤ−ＲＡＭ３０８の管理情報にＵＲＬ情報を格納しても同様に実施可能である。
なお、ＵＲＬからの取得データとして映像信号，及び予約録画情報の場合について説明したが、その他のデジタルデータを取得し、制御情報に示される所定の動作も同様に実施可能である。
【００２８】
（実施の形態５）
続いて、記憶手段１０１に、再生許可情報が格納される場合の動作について説明する。
使用者はＤＶＤ−ＲＡＭ３０８に格納されている映像信号の視聴に対し、視聴制限をかけたい場合には、記録再生装置を用いて記録媒体全体、又は各番組に対して視聴制限をかけ、解除するための暗証番号を登録する。その暗証番号は、記録媒体の管理情報として格納される。
再生時においては、ＤＶＤ−ＲＡＭ３０８の記録再生装置への挿入前に、使用者がタッチパネルなどの入力手段６０１を用いて、表示手段６０２で表示されている図１４に示すように再生許可情報としての暗証番号を入力し、その情報を記憶手段１０１に記憶させる。
ユーザ入力手段３０６からの再生要求時には、外部記憶書込み／読込み手段６０４を介して記憶手段１０１に格納されている管理情報を読込み、再生許可情報である暗証番号が存在しているか否かを判断し、図１４に示すように再生許可情報としての暗証番号が入力されている場合には、暗証番号を取得する。また、システム制御手段３０５は、映像／管理情報書込み／読込み手段３０３に指示し、ＤＶＤ−ＲＡＭ３０８から管理情報を読み込ませ、視聴制限を解除するための暗証番号を取得し、暗証番号が同じであれば、再生要求に応じ再生を行う。暗証番号が同じでない場合や記憶手段１０１に暗証番号が入力されていない場合においては、使用者に対し視聴制限がかかっていることを知らせ、暗証番号を入力するよう促すメッセージを出す。
【００２９】
以上のように、記憶手段１０１に、再生許可情報を格納することが可能な領域を備えることにより、使用者が記録媒体単体において、視聴制限を外すことや、かけることができ、また、記録媒体が挿入された記録再生装置の複雑な操作をする必要がなくなる。
なお、記憶手段１０１に記憶された暗証番号は、ディスクの挿出時に消去されるとしてもよい。
なお、ディスク全体に対しての視聴制限として説明したが、個々の番組に対しての視聴制限をかけ、個々の番組に対して再生許可情報としての暗証番号を設けても同様に実施可能である。
【００３０】
（実施の形態６）
続いて、記憶手段１０１に、ＤＶＤ−ＲＡＭ３０８に記録される映像信号または管理情報の更新日時情報が格納され、本発明の手段を、例えば外部記憶書込み／読込み手段６０４を備えていない記録再生装置で、何らかの映像信号または管理情報の更新がなされたか否かについての判断をする場合の動作について説明する。
従来の記録再生装置において、ＤＶＤ−ＲＡＭ３０８に対し、録画や番組の編集を施した時、ＤＶＤ−ＲＡＭ３０８に格納されている管理情報は更新され、それと同時に管理情報の更新日時情報も書き換えられることが知られている。
【００３１】
例えば、図６に示す構成を備えた記録再生装置において、実施の形態２の図８で示したように、２つの番組（Ｎｏ．１，Ｎｏ．２）の録画時に、ＤＶＤ−ＲＡＭ３０８に記録されている管理情報と管理情報の更新日時情報が更新され、記憶手段１０１に記録される管理情報と管理情報の更新日時情報も更新される。なお、ＤＶＤ−ＲＡＭ３０８に記録される管理情報の更新日時情報と記憶手段１０１に記録される管理情報の更新日時情報は同じ更新日時が記録される。
使用者がタッチパネルなどの入力手段６０１を用いて、表示手段６０２で表示されている図８に示す番組（Ｎｏ．２）の操作の項目を□から■へ変更し、その情報を記憶手段１０１に記憶させ、記録再生装置へＤＶＤ−ＲＡＭ３０８が入ったカートリッジケースを挿入する前に、従来の記録再生装置において、番組（Ｎｏ．１）もしくは番組（Ｎｏ．２）の削除、あるは新たな番組（Ｎｏ．３）の録画などのＤＶＤ−ＲＡＭ３０８に記録される管理情報の更新を行い、本発明の手段を備えた記録再生装置へＤＶＤ−ＲＡＭ３０８が入ったカートリッジケースを挿入した場合では、メディア挿入出検出手段３０９よりメディアの挿入があったことを通知された映像／情報信号制御手段１０３は、外部記憶書込み／読込み手段６０４を介して記憶手段１０１に格納されている管理情報と管理情報の更新日時情報、システム制御手段３０５を介してＤＶＤ−ＲＡＭ３０８に格納されている管理情報と管理情報の更新日時情報を読込み、それぞれの管理情報の更新日時情報に相違があることを認識し、システム制御手段３０５を介して使用者に対し本発明の手段を備えた記録再生装置以外の記録再生装置で何らかの編集がなされたことを知らせる。
【００３２】
以上のように、記憶手段１０１に、ＤＶＤ−ＲＡＭ３０８に記録される映像信号または管理情報の更新日時情報を格納することが可能な領域を備えることにより、使用者が本発明の手段を備えた記録再生装置以外の記録再生装置で何らかの編集がなされたか否かを知ることが可能となる。
なお、管理情報の更新日時情報のみの更新日時の相違のみをみて、本発明の手段を備えた記録再生装置以外の記録再生装置で何らかの編集がなされたか否かを判断すると説明したが、ＤＶＤ−ＲＡＭ３０８に格納されているファイル情報、例えば映像信号以外の音楽ファイルや静止画ファイルの更新日時情報についての相違をみて判断しても、同様に実施可能である。
【００３３】
【発明の効果】
以上のように本発明によれば、映像信号と情報信号とを記録媒体に記録し再生することが可能で、前記記録媒体はカートリッジケースで覆われてなる記録再生装置において、前記カートリッジケースは、前記記録媒体に記録される映像信号の管理情報，及び前記記録再生装置に対する制御情報を格納する映像管理情報格納手段を有し、前記記録再生装置は、前記映像管理情報格納手段からの管理情報，及び制御情報を入力情報とし、所定の動作を行う映像／情報信号制御手段を有することで、
カートリッジケースの映像管理情報格納手段に格納される管理情報，及び制御情報として、映像の編集情報が格納される場合においては、記録再生装置へのディスクの挿入時、または使用者の指示により、使用者が記録媒体が挿入された記録再生装置の複雑な操作をすることなく、記録媒体に格納された映像の編集が可能となる。
【００３４】
また、カートリッジケースの映像管理情報格納手段に格納される管理情報，及び制御情報として、映像番組の再生位置や視聴済み番組情報が格納される場合においては、次回再生時に使用者が視聴途中の番組の再生位置を探すことなく、容易に番組の続きから視聴することが可能となり、また、ディスクに記録されている番組を視聴したか否かを知ることができる。
また、カートリッジケースに入力手段、及び表示手段を有することで、使用者が記録媒体単体において、記録媒体に何（番組）が記録されているのかを知ることができ、また、記録媒体が挿入された記録再生装置の複雑な操作をすることなく、任意に記録媒体の編集が可能となる。
また、記録再生装置にネット情報資源取得手段を有し、管理情報，及び制御情報として、ＵＲＬ情報とコンテンツに対する制御情報を格納される場合においては、使用者がコンテンツのアドレスや記録再生装置の操作を意識することなく、記録再生装置を用いてネットワーク先のコンテンツデータにアクセスし、録画、再生、閲覧、及び予約録画などの機器への設定を可能となる。
【００３５】
また、カートリッジケースの映像管理情報格納手段に格納される管理情報，及び制御情報として、再生許可情報が格納される場合においては、使用者が記録媒体単体において、視聴制限を外すことや、かけることが可能となる。
また、カートリッジケースの映像管理情報格納手段に格納される管理情報，及び制御情報として、記録媒体に記録される映像信号または管理情報の更新日時情報が格納される場合においては、使用者が本発明の手段を備えた記録再生装置以外の記録再生装置で何らかの編集がなされたか否かを知ることが可能となる。
【図面の簡単な説明】
【図１】本発明の実施の形態１による記録再生装置のブロック構成図である。
【図２】一般的な記録再生装置の概念図である。
【図３】一般的な記録再生装置のブロック構成図である
【図４】本発明の実施の形態１による記録再生装置のメディアの挿入から通常の処理に移行するまでの動作を示すフローチャートである。
【図５】記録媒体の映像信号の管理情報と制御情報を格納可能なカートリッジケースに覆われた記録媒体の概念図である。
【図６】本発明の実施の形態２による記録再生装置のブロック構成図である。
【図７】カートリッジケースの表示手段により出力される表示画面の１例を示す説明図である。
【図８】カートリッジケースの表示手段により出力される削除番組指定の表示画面の１例を示す説明図である。
【図９】カートリッジケース全体の１例を示す模式図である。
【図１０】カートリッジケースの表示手段により出力される再生番組指定の表示画面の１例を示す説明図である。
【図１１】カートリッジケースの表示手段により出力される視聴済み番組の表示画面の１例を示す説明図である。
【図１２】本発明の実施の形態４による記録再生装置のブロック構成図である。
【図１３】カートリッジケースの表示手段により出力される予約録画設定の表示画面の１例を示す説明図である。
【図１４】カートリッジケースの表示手段により出力される再生許可のための暗証番号入力の表示画面の１例を示す説明図である。
【符号の説明】
１０１  記憶手段
１０２  外部記憶読込み手段
１０３  映像／情報信号制御手段
２００  記録再生装置
２０１  ＣＰＵ
２０２  ＲＯＭ
２０３  ＲＡＭ
２０４  ユーザ入力手段
２０５  チューナー
２０６  エンコーダ
２０７  オーバーレイ
２０８  デコーダ
２０９  ＯＳＤ表示手段
２１０  ＨＤＤ
２１１  書き換え可能な光ディスク
２１２  メモリカード
３０１  エンコード手段
３０２  デコード手段
３０３  映像／管理情報書込み／読込み手段
３０４  情報信号発生手段
３０５  システム制御手段
３０６  ユーザ入力手段
３０７  ＨＤＤ
３０８  ＤＶＤ−ＲＡＭ
３０９  メディア挿入出検出手段
５００  記録媒体が入ったカートリッジケース
５０１  カートリッジケース上のＣＰＵ
５０２  カートリッジケース上のＲＯＭ
５０３  カートリッジケース上のＲＡＭ
５０４  カートリッジケース上のユーザ入力手段
５０５  カートリッジケース上の表示手段
５０６  カートリッジケースに覆われた記録媒体
６０１  入力手段
６０２  表示手段
６０３  情報信号変換手段
６０４  外部記憶書込み／読込み手段
１１０１  ネット情報資源取得手段
【図１】
2004342140.tif 000003
【図２】
2004342140.tif 000004
【図３】
2004342140.tif 000005
【図４】
2004342140.tif 000006
【図５】
2004342140.tif 000007
【図６】
2004342140.tif 000008
【図７】
2004342140.tif 000009
【図８】
2004342140.tif 000010
【図９】
2004342140.tif 000011
【図１０】
2004342140.tif 000012
【図１１】
2004342140.tif 000013
【図１２】
2004342140.tif 000014
【図１３】
2004342140.tif 000015
【図１４】
2004342140.tif 000016